(57)【要約】【目的】  放送受信携帯端末において良好な放送波受信を実現する。【構成】  放送受信携帯端末２は折り畳み型に構成されている。すなわち、本体２ａに対して蓋部２ｂが可動に設けられた折り畳み式の形態を備え、前記蓋部２ｂの内面側にＬＣＤパネル２０２を備えている。また、蓋部２ｂの周縁の外側にはアンテナ２０における可動アンテナ部２１がスライド可能に設けられており、蓋部２ｂの周縁に沿った内側にはアンテナ２０における固定アンテナ部２２が設けられている。筐体に対する可動アンテナ部２１の非離間状態及び離間状態の双方で当該可動アンテナ部２１は前記固定アンテナ部２２に電気的に接触してループ状アンテナを成す。可動アンテナ部２１を引き出すことでループ面積を大きくできるので、良好な放送波受信を実現できる。【選択図】      図２
2005348092.tif 000002
【特許請求の範囲】
【請求項１】
筐体に固定的に設けられた略Ｕ字形状を成す固定アンテナ部と、前記固定アンテナ部に接続された放送受信部と、前記筐体に対してスライドすることで筐体から離間できるように設けられた略Ｕ字形状を成す可動アンテナ部とを有し、筐体に対する非離間状態及び離間状態の双方で前記可動アンテナ部は前記固定アンテナ部に電気的に接触してループ状アンテナを成すように構成されていることを特徴とする放送受信携帯端末。
【請求項２】
請求項１に記載の放送受信携帯端末において、前記筐体は偏平な略直方体形状を有し、前記可動アンテナ部は前記筐体の３つの側面に対面する略Ｕ字形状を有していることを特徴とする放送受信携帯端末。
【請求項３】
請求項１又は請求項２に記載の放送受信携帯端末において、前記筐体は偏平な略直方体形状を有し、前記固定アンテナ部は前記筐体の３つの側面に沿って略Ｕ字形状を成すように配置されていることを特徴とする放送受信携帯端末。
【請求項４】
請求項１乃至請求項３のいずれかに記載の放送受信携帯端末において、前記可動アンテナ部は前記筐体から離脱可能に設けられていることを特徴とする放送受信携帯端末。
【請求項５】
請求項１乃至請求項４のいずれかに記載の放送受信携帯端末において、前記筐体は第１の筐体と第２の筐体からなり、これら第１の筐体と第２の筐体は折り畳み可能に連結されており、前記可動アンテナ部及び前記固定アンテナ部が一方の側の筐体に設けられていることを特徴とする放送受信携帯端末。
【請求項６】
第１の筐体と第２の筐体が折り畳み可能に連結されて成る形態を有する放送受信携帯端末において、非折り畳み状態では第１の筐体から第２の筐体に渡ってループ又は略８の字ループを成し、折り畳み状態では２重ループを成すようにアンテナが設けられ、前記アンテナに放送受信部が接続されていることを特徴とする放送受信携帯端末。
【発明の詳細な説明】
【技術分野】
【０００１】
この発明は、放送を受信する放送受信携帯端末に関する。
【背景技術】
【０００２】
地上波を用いたディジタル放送を受信するディジタル放送受信装置は、地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力することができる。また、近年においては、ディジタルテレビ放送を携帯電話などの移動端末で視聴することが可能になっている（特許文献１，特許文献２参照）。また、携帯電話において良好な電波受信を実現するために、カバーにアンテナを設ける提案がなされている（特許文献３参照）。
【特許文献１】特開２００３−１０１８９８号公報
【特許文献２】特開２０００−３３２６３２号公報
【特許文献３】特開平８−３１６８６９号公報
【発明の開示】
【発明が解決しようとする課題】
【０００３】
ここに、放送受信携帯端末においては、良好な放送波受信を実現することが望まれる。
【０００４】
この発明は、上記事情に鑑み、良好な放送波受信を実現できる放送受信携帯端末を提供することを目的とする。
【課題を解決するための手段】
【０００５】
この発明の放送受信携帯端末は、上記の課題を解決するために、筐体に固定的に設けられた略Ｕ字形状を成す固定アンテナ部と、前記固定アンテナ部に接続された放送受信部と、前記筐体に対してスライドすることで筐体から離間できるように設けられた略Ｕ字形状を成す可動アンテナ部とを有し、筐体に対する非離間状態及び離間状態の双方で前記可動アンテナ部は前記固定アンテナ部に電気的に接触してループ状アンテナを成すように構成されていることを特徴とする。
【０００６】
上記の構成であれば、前記可動アンテナ部を筐体から離間させた状態ではアンテナにおけるループ面積は通常状態よりも大となり、放送波受信のゲインが向上することになる。
【０００７】
上記構成の放送受信携帯端末において、前記筐体は偏平な略直方体形状を有し、前記可動アンテナ部は前記筐体の３つの側面に対面する略Ｕ字形状を有していてもよい。また、前記筐体は偏平な略直方体形状を有し、前記固定アンテナ部は前記筐体の３つの側面に沿って略Ｕ字形状を成すように配置されていてもよい。また、前記可動アンテナ部は前記筐体から離脱可能に設けられていてもよい。
【０００８】
更に、これら構成の放送受信携帯端末において、前記筐体は第１の筐体と第２の筐体からなり、これら第１の筐体と第２の筐体は折り畳み可能に連結されており、前記可動アンテナ部及び前記固定アンテナ部が一方の側の筐体に設けられていてもよい。
【０００９】
また、この発明の放送受信携帯端末は、第１の筐体と第２の筐体が折り畳み可能に連結されて成る形態を有する放送受信携帯端末において、非折り畳み状態では第１の筐体から第２の筐体に渡ってループ又は略８の字ループを成し、折り畳み状態では２重ループを成すようにアンテナが設けられ、前記アンテナに放送受信部が接続されていることを特徴とする。
【００１０】
かかる構成においても、非折り畳み状態では、アンテナは第１の筐体から第２の筐体に渡ってループ又は略８の字ループを成し、アンテナにおけるループ面積は通常状態よりも大となり、放送波受信のゲインが向上することになる。また、折り畳み状態ではアンテナは２重ループを成すので受信周波数などの問題を生じないで放送波を受信することができる。
【発明の効果】
【００１１】
この発明によれば、可動アンテナ部を引き出してループ面積を大きくできるので、良好な放送波受信を実現できる。また、折り畳み状態では２重ループを成し、非折り畳み状態ではループ又は略８の字状を成すアンテナを設ける構成においても、良好な放送波受信を実現できるという効果を奏する。
【発明を実施するための最良の形態】
【００１２】
以下、この発明の実施形態を図１乃至図７に基づいて説明する。
【００１３】
図１はこの実施形態の地上ディジタル放送を受信する放送受信携帯端末２を示したブロック図である。
【００１４】
放送受信携帯端末２は、図１に示すごとく、地上波ディジタルチューナ２３０による放送受信により得られた符号化映像・音声データにより、映像を液晶表示パネル２０２上に映し出すとともに、音声をイヤホン２０３から出力するようになっている。なお，この実施形態では符号化映像・音声データはＭＰＥＧ４データであるとする。地上波ディジタルチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ４−ＡＡＣ）２０６に与える。
【００１５】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００１６】
ＬＣＤコントローラ２０７は、グラフィックスコントローラ２０５から供給された映像データに基づいてＬＣＤパネル２０２を駆動する。Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００１７】
本体キー２１４に対する操作情報は、インターフェイス２１５及びシステムバス２１３を介してＣＰＵ２０９に与えられる。ＣＰＵ２０９は上記操作情報に基づいて必要な処理を実行する。また、ＦｌａｓｈＲＯＭ２１８やＳＤＲＡＭ２１９も備える。電池２２１は二次電池であり、図示しない充電器から電力の供給を得てこれを蓄える。
【００１８】
放送受信携帯端末２は、図２（ａ）（ｂ）に示しているように、折り畳み型に構成されている。すなわち、本体２ａに対して蓋部２ｂが可動に設けられた折り畳み式の形態を備え、前記蓋部２ｂの内面側にＬＣＤパネル２０２を備えている。また、蓋部２ｂの周縁の外側にはアンテナ２０における可動アンテナ部２１が設けられており、蓋部２ｂの周縁に沿った内側にはアンテナ２０における固定アンテナ部２２が設けられている。可動アンテナ部２１は蓋部２ｂから取り外し可能（交換可能）に設けられている。
【００１９】
図３は可動アンテナ部２１を取り外した状態の蓋部２ｂの斜視図であり、図４は可動アンテナ部２１の斜視図である。蓋部２ｂのサイド側は凹状のガイド部を成している。前記ガイド部には第１係止部２３及び第２係止部２４が形成されている。また、第１係止部２３の近傍に固定アンテナ部２２の第１接点部２２ａが形成され、第２係止部２４の近傍に固定アンテナ部２２の第２接点部２２ｂが形成されている。
【００２０】
可動アンテナ部２１は略Ｕ字状を成す樹脂製本体部内に導線が埋め込まれた形態を有する。可動アンテナ部２１は、その断面形状が凸状を成すことで前記サイド側のガイド部に嵌まり、前記蓋部２ｂのサイド延長方向にガイドされる一方、ガイド方向と直交する方向の移動は規制されるようになっている。また、前記樹脂製本体部は可撓性を有しており、両端間隔は蓋部２ｂの幅よりも幾分狭く、当該両端には係止凸部２１ａが形成されており、この係止凸部２１ａの近傍箇所において前記導線の一部が凸状に露呈して接触部２１ｂを成している。係止凸部２１ａが第１係止部２３又は第２係止部２４に係合した状態において、接触部２１ｂは第１接点部２２ａ又は第２接点部２２ｂに接触する。
【００２１】
図４（ａ）は係止凸部２１ａが第１係止部２３に係合し、接触部２１ｂが第１接点部２２ａに接触している状態を示している。この状態は通常状態である。一方、図４（ｂ）は係止凸部２１ａが第２係止部２４に係合し、接触部２１ｂが第２接点部２２ｂに接触している状態を示している。この状態ではアンテナ２０におけるループ面積は通常状態よりも大となり、放送波受信のゲインが向上する。
【００２２】
上記の例では、アンテナ２０を蓋部２ｂに設けたが、これに限らず、本体部２ａに設けることとしてもよい。また、折り畳み型の構成に限らず、非折り畳み型においても上記アンテナ２０を設けることができる。また、接触部２１ｂが第１接点部２２ａと第２接点部２２ｂの２箇所に接触するようにしたが、これに限らず、接点部をガイド方向に長く形成し、アンテナ２０がガイドされるどの位置でも接触部２１ｂが接点部に接触できる構成を採用してもよい。
【００２３】
また、図６に示すごとく、放送受信携帯端末２にアンテナ３０を設けてもよい。図６（ａ）は放送受信携帯端末２の折り畳み状態（閉じた状態）を示しており、図６（ｂ）は放送受信携帯端末２の非折り畳み状態（開いた状態）を示している。図６に示す構成においては、アンテナ３０は放送受信携帯端末２の非折り畳み状態では本体部２ａから蓋部２ｂに渡って略８の字を成し、折り畳み状態では２重ループを成すように設けられている。２重ループ状態ではアンテナ３０における導線部同士の接触は生じないようにしている。かかる構成であれば、放送受信携帯端末２の非折り畳み状態（開いた状態）において、折り畳み状態時よりもループ面積が大となり良好な放送電波受信が行えることになる。また、折り畳み状態ではアンテナは２重ループを成すので、受信周波数に対する影響は生じない。なお、折畳可能で且つ折畳用の軸に直交する軸にてひねることができる構成が知られているが、かかる構成では、非折り畳み状態では本体部２ａから蓋部２ｂに渡ってアンテナ３０は略８の字を成す状態と通常の円をなすループのいずれにもなり、折畳状態で画面が表側に出る状態では２重ループを成す。
【図面の簡単な説明】
【００２４】
【図１】この発明の実施形態の放送受信携帯端末を示したブロック図である。
【図２】同図（ａ）は可動アンテナ部を収容した状態の平面図であり、同図（ｂ）は可動アンテナ部を引き出した状態の平面図である。
【図３】可動アンテナ部を取り外した状態の蓋部の斜視図である。
【図４】可動アンテナ部の斜視図である。
【図５】同図（ａ）は可動アンテナ部を収容した状態の固定アンテナ部との接触状態を示した説明図であり、同図（ｂ）は可動アンテナ部を引き出した状態の固定アンテナ部との接触状態を示した説明図である。
【図６】他の実施形態を示した図であって、同図（ａ）は放送受信携帯端末の折り畳み状態（閉じた状態）を示した説明図であり、同図（ｂ）は放送受信携帯端末の非折り畳み状態（開いた状態）を示した説明図である。
【符号の説明】
【００２５】
２      放送受信携帯端末
２０    アンテナ
２１    可動アンテナ部
２２    固定アンテナ部
２０２  ＬＣＤパネル
２０５  グラフィックスコントローラ
２０７  ＬＣＤコントローラ
２０９  ＣＰＵ
２３０  地上波ディジタルチューナ
３０    アンテナ
【図１】
2005348092.tif 000003
【図２】
2005348092.tif 000004
【図３】
2005348092.tif 000005
【図４】
2005348092.tif 000006
【図５】
2005348092.tif 000007
【図６】
2005348092.tif 000008